(57)【要約】【課題】より多くの光を内部に取り込み、かつ取り込んだ光をより多くの面で反射させることにより、従来以上に多くの輝きを得ることができるダイヤモンドのプロポーションを提供する。【解決手段】標準ブリリアントカットと同様に、クラウン２に３３面のファセット（カット面）を有し、平面視で略十六角形を有するダイヤモンド１において、ガードル４には、１６面の比較的大きなガードルファセット４１と７面の小さなガードルファセット４２とからなる計２３面のガードルファセットを有し、該ガードル４の上下寸法を、クラウン２上面からパビリオン３底部頂点５までの全体上下寸法の２５〜３０％の範囲内とする。パビリオン３には、７面の小さなロワーガードルファセット３２と、底部頂点５の周りに配置された計１２面のエキストラファセット３４とを含む計４３面のファセットを有し、全体として９９面体のダイヤモンドとする。【選択図】図１
2009100920.tif 000002
【特許請求の範囲】
【請求項１】
ガードルの上側にクラウン、下側にパビリオンを備え、クラウンは標準ブリリアントカットと同様に３３面のファセットを有し、平面視で略十六角形を有するダイヤモンドにおいて、ガードルは、少なくとも、クラウンの１６面のアッパーガードルファセットに対応する１６面の比較的大きなガードルファセットを有し、該ガードルの上下寸法を、クラウンの上面からパビリオンの底部頂点までの全体上下寸法の２５〜３０％の範囲内としたことを特徴とするダイヤモンド。
【請求項２】
前記ダイヤモンドは、平面視における十六角の角部の内、相隣接する前記アッパーガードルファセット間の８本の稜線に対応する８個の角部において、１つを除く７個の角部に縦長の小さいガードルファセットを有することを特徴とする請求項１に記載のダイヤモンド。
【請求項３】
前記パビリオンは、前記比較的大きなガードルファセットに対応する１６面の大きなロワ−ガードルファセットと、前記小さなガードルファセットに対応する７面の小さなロワ−ガードルファセットと、８面のパビリオンメインファセットと、底部頂点の周りに配置された計１２面のエキストラファセットとからなる、計４３のファセットを有し、全体として９９面のファセットを備えていることを特徴とする請求項１または請求項２に記載のダイヤモンド。
【発明の詳細な説明】
【技術分野】
【０００１】
本発明は、９９面体ダイヤモンドに関し、より詳しくは、反射光の輝きの数と強さを増加させる特殊なカットが施された９９面体ダイヤモンドのプロポーションに関する。
【背景技術】
【０００２】
一般に、ダイヤモンドのプロポーションは、側面視において、玉の上下端の中間に位置して最大径部をなすガードルと、そのガードルの上方に位置して略円錐台形状をなすクラウンと、ガードルの下方に位置して略逆円錐形状をなすパビリオンとを有する。この種のダイヤモンドのプロポーションについては、計５８面体のラウンドブリリアントカットが、理想的なプロポーションとして知られている。それは、クラウンに上端中央のテーブルを含む３３のファセット（カット面）と、パビリオンに底部の頂点面であるキューレットを含む２５のファセットとを有し、ガードルは厚さが薄く、研磨されていない曲面により形成されている。
【０００３】
当業界においては、このブリリアントカットを基礎としながらも更なる輝きを得ることを目的として、様々なプロポーションが発明ないし発明されている。例えば特許文献１には、ガードルの上下の厚さ方向に表われる山と谷のパターンについて、アッパーガードルファセットの稜線先端部の厚さを、ベゼルファセットの先端部の厚さよりも実質的に大とし、かつこれら先端部の厚さを先端部以外の厚さよりも大の山を形成し、先端部以外のガードル厚さを先端部のガードル厚さよりも小の谷を形成したプロポーションとすることにより、輝きのある面積を増大させようとする発明が開示されている。
【０００４】
また、特許文献２には、パビリオン底部の中央頂点面（キューレット）からガードル方向へ放射状に延びる稜線がささめ部位を境界として区分けされ、該稜線におけるささめ部位よりガードル側の長さと、キューレット側の長さとの比を９：１とすることで、光学的に最上の光沢閃光を得ようとする考案が開示されている。
【０００５】
また、特許文献３には、パビリオンの底部の中央に面（キューレット）の無い頂点を囲む十字状のカット面を設けるとともに、クラウンに３３のカット面、ガードルに２４のカット面、パビリオンに４４のカット面を形成した考案が開示されている。この考案においては、全体として１０１面になるようにカット面を増大させたことにより、テーブルにおける反射効率を最大限に得ることができ、テーブル面からパビリオンの底部に形成された十字状のカット面が見えるため、高級感を生じる効果を得ることができると説明されている。
【特許文献１】特開平９−１１１０５号公報
【特許文献２】実用新案登録第３０４２６１１号公報
【特許文献３】実用新案登録第３０７８６３６号公報
【発明の開示】
【発明が解決しようとする課題】
【０００６】
従来のダイヤモンドは、いずれも実質的にクラウンのみから取り込んだ光を内部でパビリオンに反射させている。この発明では、取り込む光を増加させることにより、ダイヤモンドの輝きを従来以上に多く得ることができるとの知見に基づき、クラウンからだけでなく、より多くの角度から、即ち、ガードルからの光をも取り込み、内部で反射させることにより、多数の輝きを発するダイヤモンドを提供することを目的とする。
【０００７】
また、取り込んだ光は逃げにくくしてダイヤモンド内部で細かく反射させることにより、多数の強い輝きを発するダイヤモンドを提供することを目的とする。
【課題を解決するための手段】
【０００８】
本発明にあっては、ガードルの上側にクラウン、下側にパビリオンを備え、クラウンは標準ブリリアントカットと同様に３３面のファセット（カット面）を有し、平面視で略十六角形を有するダイヤモンドを対象とする。ガードルは、少なくともクラウンの１６面のアッパーガードルファセットに対応する１６面の比較的大きなガードルファセットを有し、該ガードルの上下寸法を、クラウンの上面からパビリオンの底部頂点までの全体上下寸法の２５〜３０％の範囲内としたことを特徴とする。
【０００９】
本発明に係るダイヤモンドは、平面視における十六角の角部の内、相隣接する前記アッパーガードルファセット間の８本の稜線に対応する８個の角部において、１つを除く７個の角部に縦長の小さなガードルファセットを有する。
【００１０】
そして、パビリオンは、前記比較的大きなガードルファセットに対応する１６面の大きなロワ−ガードルファセットと、前記小さなガードルファセットに対応する７面の小さなロワ−ガードルファセットと、８面のパビリオンメインファセットと、底部頂点の周りに配置された計１２面のエキストラファセットとからなる、計４３のファセットを有する。従って、本発明に係るダイヤモンドは、全体として９９面のファセットを備えている。
【発明の効果】
【００１１】
以上のように構成された本発明に係るダイヤモンドは、ガードルの上下寸法を、クラウンの上面からパビリオンの底部頂点に至る全体上下寸法の２５〜３０％の範囲としたことにより、取り込む光の量が大幅に増加する。これにより、従来のようにテーブルから入りパビリオン面で反射した光だけでなく、加えて、テーブルから入りガードル面にて反射した光、ガードルから入りテーブル面にて反射した光、更にはそれらがパビリオンで反射した光等、従来品と比較してはるかに多くの光の反射を、クラウンからだけでなく、ガードルからも見ることができ、あたかもミラーボールのような輝きを得ることができる。
【００１２】
前記ガードルの十六角形の角部の内、相隣接する前記アッパーガードルファセット間の８本の稜線に対応する８個の角部において、１つを除く７個の角部に縦長の小ガードルファセットを形成したことにより、ガードル面での光の反射数を更に増加させることができ、より多くの輝きを生むことができる。
【００１３】
しかも、小ガードルファセットを形成しない角部を一箇所設けたことにより、光をその箇所に溜め込んで、小ガードルファセットを形成した角部とは違う強い輝きを放つようにすることができる。
【００１４】
また、パビリオンにおいて、大ロワ−ガードルファセットだけでなく、小ガードルファセットに対応する７面の小ロワ−ガードルファセットを設けたことにより、パビリオンでの反射面数を増加させることができ、より多くの輝きを生むことができる。
【発明を実施するための最良の形態】
【００１５】
以下、図面を参照して本発明を実施するための最良の一形態を説明する。本発明に係るダイヤモンド１は、図１乃至図４に示すように、３３面のクラウン２と、４３面のパビリオン３と、２３面のガードル４とを有し、全体として計９９面のファセット（カット面）を備えている。
【００１６】
クラウン２は、図１及び図２に示される正面視又は側面視で台形をなし、合計３３面のファセットにより形成されている。即ち、図３に示される平面視で、外周に沿って形成された、後述するガードルファセット４１の上辺４１ａを一辺とする略三角形のアッパーガードルファセット２１が１６面と、該アッパーガードルファセット２１の内側（テーブル寄り）に形成された略菱形状のクラウンメインファセット２２が８面と、該クラウンメインファセット２２の内側（テーブル寄り）に形成された三角形のスターファセット２３が８面と、それに、スターファセット２３に囲まれるようにして中央に形成された八角形のテーブル２４が１面との計３３面である。
【００１７】
アッパーガードルファセット２１は、８対の相隣接するアッパーガードルファセット２１，２１の各対が両者間に形成される稜線２１ａを有し、その径方向外端２１ｂはガードル４に接している。略菱形のクラウンメインファセット２２は四つの角部を有し、その内の径方向外方に位置する角部の先端２２ａはガードル４に接している。アッパーガードルファセット２１の稜線２１ａの径方向外端２１ｂとクラウンメインファセット２２の角部の先端２２ａとは、ダイヤモンド１の周方向に交互に配置され、それぞれダイヤモンド１に平面視で略十六角の形状を付与する角部をなしている。
【００１８】
ガードル４は、図１および図２から明らかなように、クラウン２とパビリオン３との間に形成されている。クラウン２のテーブル２４の中心からパビリオン３の底部頂点５を通る軸ｚに平行な、上辺４１ａと下辺４１ｂとを有する略方形の面で形成されており、平面視で略十六角形をなすように連なっている。
【００１９】
ガードル４の厚さ（上下方向の寸法）は、クラウン２のテーブルからパビリオン３の底部頂点５までの全体寸法の２５〜３０％の範囲内に収まるように形成されている。
【００２０】
従来のガードルの厚さは、ダイヤモンド１の全体寸法の１０％にも満たない。しかもカットが施されていないものが多い。この数字が２５％未満だと、ガードルより光を十分に取り入れることができない。もっとも、従来品の多くはガードルを研磨しておらず、ガードルより光を取り入れることは考慮されていなかったといえる。
【００２１】
ガードル４の厚さが、ダイヤモンド１の上下寸法の３０％を超えてしまうと、多くの光を取り込み過ぎてしまうため、逆に取り入れた光がうまく反射せずにガードル４から抜けてしまい、効率良く光を反射させることができない。ガードル４の厚さが全体の２５〜３０％の範囲内に収まるように形成することにより、取り込んだ光を逃がし難くし、ダイヤモンド内部でのより多くの反射が可能となる。
【００２２】
ガードル４は、比較的大きなガードルファセット４１を１６面有する。また、対をなす前記アッパーガードルファセット２１，２１間の８本の稜線２１ａに対応する８個の角部の内、１つを除く７個の角部に施され、上辺４２ａと下辺４２ｂとを有する縦長方形の小ガードルファセット４２を７面有し、計２３面のファセットを備えている。図１の中央には、小ガードルファセット４２が形成されないまま残された角部４３が示されている。
【００２３】
ガードル４をこの様にカットすることにより、ガードル面での反射数を増加させ、大小のより多くの輝きを生むことができる。しかも、小ガードルファセットを形成しない角部を一箇所設けることにより、光をその箇所に溜め込んで、小ガードルファセットを形成した角部とは違う輝きが発せられるようにしてある。
【００２４】
パビリオン３は、図１及び図２に示される正面視又は側面視で逆三角形をなし、４３面のファセットにより形成されている。すなわち、図４に示すように、前記大ガードルファセット４１に対応する大ロワ−ガードルファセット３１が１６面と、前記小ガードルファセット４２に対応する小ロワ−ガードルファセット３２が７面と、パビリオンメインファセット３３が８面と、底部頂点５の周りに配置されたエキストラファセット３４が１２面との計４３面である。これにより、この発明に係るダイヤモンドは全体として９９面のファセットを備えている。
【００２５】
大ロワーガードルファセット３１は、各前記大ガードルファセット４１の下辺４１ｂを底辺とし、底部頂点５の方向に頂点を有する略縦長二等辺三角形のファセットである。小ロワ−ガードルファセット３２は、各前記小ガードルファセット４２の下辺４２ｂを底辺とし、底部頂点５の方向に頂点を有する略正三角形の小さなファセットである。
【００２６】
パビリオンメインファセット３３は、クラウンメインファセット２２のガードル４に接する点２２ａに対応するパビリオン側のガードル４に接する点３３ａを頂点とし、パビリオンの底部頂点５を囲む八角形の一つの辺３３ｂを底辺とする縦長二等辺三角形のファセットである。
【００２７】
エキストラファセット３４は、パビリオン３の底部頂点５を囲む辺３３ｂにより形成される八角形の内側に形成されている。
【００２８】
エキストラファセット３４についてより詳しく説明すると、パビリオン３には、８対ある相隣接する大ロワーガードルファセット３１間を通る８本の稜線３１ａ,３１ｂがある。この内、図４において、小ガードルファセット４２が形成されないまま残されたガードル４の角部４３とパビリオンの底部頂点５とを通る軸ｘ及びこれと直交する軸ｙ上にある稜線３１ａは、パビリオンメインファセット３３の底辺３３ｂと交わる箇所からパビリオンの底部頂点５までの間は存在しない。軸ｘ及び軸ｙ上のこの部分に形成された矢尻形の小さな計４面のエキストラファセット３４ａは底面視で底部頂点５を中心とした十字形をなす。
【００２９】
稜線３１ａと４５度の角度をもって延びる稜線３１ｂは、図４において、パビリオンの底部頂点５まで延びている。パビリオンメインファセット３３の底辺３３ｂにより形成される八角形の内側で、エキストラファセット３４ａ以外の菱形の部分に、稜線３１ｂを挟んで形成されているのは略正三角形の小さな計８面のエキストラファセット３４ｂである。
【００３０】
このエキストラファセット３４ａ，３４ｂが形成された八角形の内側の部分は、パビリオン３の上下寸法の約１２％、面積で言えばパビリオン全体の約１５％程度に比較的小さくしてある。これは、底部頂点５の周辺から光を逃げ難くするためである。
【００３１】
また、パビリオン３自体も従来のブリリアントカットに比べて小さくしてある。これにより、パビリオン３部分から抜ける光の量を抑えて、取り入れた光の反射の屈折を凝縮させることができ、クラウン２、特にテーブル２４の面及びガードル４の面へ強い輝きを反射させることができる。
【００３２】
次に、以上のように構成された本発明の最良の形態のダイヤモンドにおける、光の反射について説明する。
【００３３】
本発明では、以下の新しい光の反射を得ることができる。
１．従来光の取り込みに使用されなかった、あるいは少ない光しか取り込むことができなかったガードル４に比較的大きなガードルファセットを形成し、その上下寸法を、クラウン２の上面からパビリオン３の底部頂点５までの全体上下寸法の２５〜３０％の範囲とし、ガードル４から多くの光を取り入れるようにしたことによる、ガードル４から取り入れた光のパビリオン３の面での反射
２．同じ理由による、ガードル４から取り入れた光のクラウン２の面での反射。
３．同じ理由による、クラウン２から取り入れられた光のガードル４の面での反射。
４．クラウン２及びガードル４から取り入れられた光の、小さなガードルファセット４２の面と、該小さなガードルファセット４２対応した小さなロワ−ガードルファセット３２の面での数多くの光の反射。
５．小さなガードルファセット４２及び小さなロワ−ガードルファセット３２を形成しない角部４３を設けることによる、効率良く強い光の反射。
【００３４】
以上のように、従来考慮されなかった角度から多くの光を取り込むと同時に、取り込んだ光を逃げ難くして細かく反射するようにしたことにより、本発明のダイヤモンド１は、恰もミラーボールの如くに多くの光が強く輝く反射を可能としている。
【図面の簡単な説明】
【００３５】
【図１】本発明を実施するための最良の形態を示すダイヤモンドの正面図である。
【図２】同じく側面図である。
【図３】同じく平面図である。
【図４】同じく底面図である。
【図５】同じく正面図の右斜め４５度上方からみた斜視図である。
【符号の説明】
【００３６】
１…ダイヤモンド
２…クラウン
３…パビリオン
４…ガードル
２１…アッパーガードルファセット
２２…クラウンメインファセット
２３…スターファセット
２４…テーブル
３１…大ロワーガードルファセット
３２…小ロワーガードルファセット
３３…パビリオンメインファセット
３４…エキストラファセット
４１…大ガードルファセット
４２…小ガードルファセット
４３…エキストラファセット
【図１】
2009100920.tif 000003
【図２】
2009100920.tif 000004
【図３】
2009100920.tif 000005
【図４】
2009100920.tif 000006
【図５】
2009100920.tif 000007